(57)【特許請求の範囲】
【請求項１】
張力がウェビングの張力端に掛かった時に自由端と張力端とを有するウェビングを固定するように構成されたウェビング長さ調整装置であって、前記調整装置が、
ウェビング・ガイドと、
前記ウェビング・ガイドに関して軸回転可能に取り付けられた固定部材と、
前記固定部材上の固定カムであって、固定位置で前記固定カムと前記ウェビング・ガイドとの間で前記ウェビングを固定して前記張力が張力端に掛かった時に前記調整装置を通して前記ウェビングが動くことを防止する固定カムと、
前記固定部材を回転させて前記固定カムを前記ウェビングが解放される位置まで動かしてウェビングを前記調整装置内でいずれの方向にも移動できる解放アクチュエータと、
固定カムとウェビングの張力端との間でウェビングに当接する前記固定部材上の突起部であって、前記ウェビングが張力を掛けられると前記突起部に力を加え、それによって前記固定カムを前記固定位置に保持または移動する方向に前記固定部材を回転するよう推進しまたは回転させる突起部とを含むウェビング長さ調整装置。
【請求項２】
突起部が固定部材が固定位置にある時でも常にわずかにウェビングを偏らせるように構成された請求項１に記載のウェビング長さ調整装置。
【請求項３】
ウェビング・ガイドがウェビングがその上に位置する表面を有するブラケットを含み、固定カムがウェビングを表面に把持する請求項１に記載のウェビング長さ調整装置。
【請求項４】
固定部材上の突起部が弓形形状で固定部材の回転軸から離れて広がる請求項１に記載のウェビング長さ調整装置。
【請求項５】
固定カムがウェビングの表面を把持するかその他の方法で能動的に食い込むように設計された表面を有する請求項１に記載のウェビング長さ調整装置。
【請求項６】
解放アクチュエータが手動アクチュエータを含む請求項１に記載のウェビング長さ調整装置。
【請求項７】
解放アクチュエータが人の指で持ち上げるか押されるフランジを含む請求項６に記載のウェビング長さ調整装置。
【請求項８】
解放アクチュエータが固定部材を回転させるボタン・アクチュエータを含む請求項６に記載のウェビング長さ調整装置。
【請求項９】
ウェビング・ガイドが、突起部がその中に位置する凹部を備え、ウェビングが突起部によって凹部に押し込まれ固定カムからの経路が凹部に入り、突起部の端部を回って凹部から抜け、ウェビング・ガイドの表面に至る請求項１に記載のウェビング長さ調整装置。
【請求項１０】
子供の安全シートの場合、ウェビング・ガイドがウェビング・ガイドを形成するように成型されたシートのシェルの一部を含む請求項１に記載のウェビング長さ調整装置。
【発明の詳細な説明】
【０００１】
【発明の属する技術分野】
本発明は、ウェビング長さ調整装置、特に調整装置に関してウェビングを固定するカム状の表面を有する固定部材を使用する調整装置に関する。
【０００２】
【従来の技術】
そのような調整装置は一般に拘束およびシート・ベルト・ウェビングと併用される。調整装置を通過するウェビングは調整装置の一端に張力を掛けられ、ウェビングは調整装置に関して固定される。調整装置の他端のウェビングを引っ張ると固定力が緩んでウェビングを調整装置を通して引っ張ることができる。
【０００３】
例えば、子供の拘束または安全シート内の肩ハーネスはそのような調整装置を用いて肩ストラップに張力を掛ける。調整装置内の固定カムは、ウェビングの自由端に張力を掛けるとアームが回転してウェビングが解放されるような形状になっている。次いでウェビングを調整装置を通して引張り、肩ストラップを締めることができる。
【０００４】
ウェビングを調整した後でカムは固定位置まで回転してウェビングに固定力を掛ける。
【０００５】
カムの回転はカムを必要な方向に移動してウェビングを固定するばねによって助けられる。カムの表面はウェビングの表面に食い込む一連の隆起部を有する。
カムはウェビングにさらに張力が掛かるとさらに回転し、それによって固定力を増すような形状になっている。
【０００６】
既知の調整装置はカムの回転を可能にして固定力を緩め、調整装置を通してウェビングをいずれの方向にも移動できる手動アクチュエータを有する。これによって、シート・ベルトまたは肩ハーネスの長さを長くする必要がある場合、ウェビングを緩めることができる。カムがカムのぎざぎざの縁がウェビングに当接することができるように確実に十分に回転するためにばねが必要である。次いでこの係合によって、ウェビングに掛かる張力が増すにつれてウェビングに掛かる固定力は増加する。
【０００７】
【発明が解決しようとする課題】
本発明の目的は、調整装置の代替構成を提供し、製造および組み立てが容易で構成部材の数が減少された調整装置を提供することにある。
【０００８】
【課題を解決するための手段】
したがって、本発明は、張力がウェビングの張力端に掛かった時に自由端と張力端とを有するウェビングを固定するように構成されたウェビング長さ調整装置であって、前記調整装置が、
ウェビング・ガイドと、
前記ウェビング・ガイドに関して軸回転可能に取り付けられた固定部材と、
前記固定部材上の固定カムであって、固定位置で前記固定カムと前記ウェビング・ガイドとの間で前記ウェビングを固定して前記張力が張力端に掛かった時に前記調整装置を通して前記ウェビングが動くことを防止する固定カムと、
前記固定部材を回転させて前記固定カムを前記ウェビングが解放される位置まで動かしてウェビングを前記調整装置内でいずれの方向にも移動できる解放アクチュエータと、
固定カムとウェビングの張力端との間でウェビングに当接する前記固定部材上の突起部であって、前記ウェビングが張力を掛けられると前記突起部に力を加え、それによって前記固定カムを前記固定位置に保持または移動する方向に前記固定部材を回転するよう推進しまたは回転させる突起部とを含むウェビング長さ調整装置に存するといえる。
【０００９】
上記の説明から明らかなように、本発明では固定部材をウェビングに係合する位置まで回転させるためのばねを使用する必要がない。その代わりに、固定部材が非固定位置まで回転すると突起部によってウェビングの偏りを引き起こす。ウェビングに掛かる張力は偏ったウェビングをまっすぐにするように作用する。これによって突起部に力が掛かって固定部材と固定カムをウェビングの方に回転させる。
【００１０】
突起部は、固定部材が固定位置にある時でも常にわずかにウェビングを偏らせるように設計できる。これによって、固定カムをウェビングの方に推進する能動的な力が確実に作用する。ウェビングに張力を掛けることによる固定部材の回転によって固定カムがさらにウェビングを把持する。ウェビングの偏りが大きいほど、張力がウェビングに再び掛けられた時に突起部に掛かる力は大きい。
【００１１】
ウェビング・ガイドはウェビングがその上に位置する表面を有するブラケットを含むことができる。固定カムはこの表面にウェビングを固定するように作用する。子供の拘束の場合、ブラケットは拘束の成型されたシェルに取り付けるように構成できる。
【００１２】
あるいは、ウェビング長さ調整装置が子供の安全シートに関連する場合、子供の安全シートのシェルは必要なウェビング・ガイドを形成するように成型できる。次いで固定部材を成型されたウェビング・ガイドに関して軸回転可能なように取り付けることができる。
【００１３】
好ましくは、固定カムはウェビングの表面を把持するかその他の方法で能動的に食い込むように設計された表面を有する。この表面は固定カム表面の幅を広げるぎざぎざまたは複数ののこぎり歯状の突起部を有することができる。各のこぎり歯状の突起部はウェビングの表面に食い込んで把持する鋭利な縁部を有する。
【００１４】
解放アクチュエータは好ましくは手動アクチュエータを含む。これは人の指で持ち上げられるか、または押されるフランジでもよい。フランジを持ち上げ、または押すことにより、固定部材は回転してウェビングを解放する。
【００１５】
あるいは、解放アクチュエータは固定部材を回転させるためのボタン・アクチュエータを含む。
【００１６】
固定部材の突起部は固定部材の回転軸から離れて広がる弓形のフランジであってもよい。
【００１７】
ウェビング・ガイドにはその中に突起部が位置する凹部を設けることができる。ウェビングは、突起部によって凹部に押し込まれ固定カムからの経路が凹部に入り、突起部の端部を回って凹部から抜け、ウェビング・ガイドの表面に至る。この結果、ウェビングに張力が掛かった時に、ウェビングによってより能動的な力が突起部に与えられる。
【００１８】
あるいは、本発明は、ウェビングに張力が与えられた時に回転力がカム部材に掛かるようにウェビングの線を偏らせる任意の形の突起部を含むことができる。
【００１９】
本発明を十分に理解するために、以下、好ましい実施形態について説明する。
ただし、本発明はこれらの好ましい実施形態の特徴に限定されないことを理解されたい。好ましい実施形態は添付図面に示す。
【００２０】
【発明の実施の形態】
図１〜図３を参照すると、調整装置１０はこの実施形態では金属ブラケット１１であるウェビング・ガイドを含む。固定部材１２は軸１３を介してブラケット１１に軸回転可能に取り付けられている。ブラケット１１はＵ字形で、ウェビング・ガイド表面１４、およびそのガイド表面１４の両側に１対の側壁１５を含む。ガイド表面１４とガイド・バー１９との間には開口部１８がある。軸１３は側壁１５内の１対の開口部を経て位置している。軸１３は一方の端部のヘッド２０と軸１３をブラケット内に保持するスエージングされた端部またはねじ切りナット２１のいずれかを有する。
【００２１】
固定部材１２はこの実施形態では手動で持ち上げて固定部材１２を回転させるフランジ２３である手動アクチュエータを含む。固定部材１２はのこぎり歯状の隆起部２５を含む弓形表面を備えた固定カム２４を有する。固定カム２４の弓形表面を形成する部分円の中心は軸１３の縦方向の軸から外れている。フランジ２３が下方向に動くと、図２に示すように固定カム２４の表面がガイド表面１４の方に移動する。
【００２２】
固定部材１２はまた、固定カム２４と軸１３から離れて広がる弓形のフランジを含む突起部２７を有する。突起部２７は固定部材１２がフランジ２３を持ち上げることによって回転すると開口部１８内に下方に移動する。
【００２３】
図１および図２は両方とも、ウェビング２８が調整装置１０を通過する経路を示す。ウェビング２８はガイド面１４と固定カム２４との間を通過し、開口部１８とガイド１９上を通る。図２を参照すると、ウェビング２８はアクチュエータの左側のウェビング２８の張力端２８ａに張力が掛かった時、動きが妨げられる。アクチュエータ１０の右側に延びているウェビング２８は調整装置１０の左側のウェビング２８の長さを調整するための自由端または固締していない端２９である。自由端ウェビング２９が引っ張られると、回転運動が固定部材１２に加わり、固定部材１２は固定カム２４をウェビング２８から離して固定力を緩める。これによって、手動で固定部材１２を操作する必要なしにウェビング２８を調整することができる。
【００２４】
図１に示す固定部材１２の非固定位置への回転の結果、突起部２７は開口部１８を介してウェビング２８に押し付けられて偏らせる。ウェビング２８の左側または張力端２８ａに再び張力が掛かると、ウェビングの偏った部分が上方に引っ張られ、突起部２７に力が掛かる。これによって固定部材１２が固定位置まで回転する。のこぎり歯突起部２５がウェビング２８に当接するとすぐに、ウェビングがさらに動いて固定カム２４が固定位置まで回転する。これを図２に示す。図２に示した位置でも、ウェビング２８はわずかに開口部１８に押し付けられている。これによって、調整装置１０の張力側のウェビング２８は、常に固定部材１２が固定位置まで回転するように推進する。
【００２５】
突起部２７によって軸１３と固定部材１２との間のばねは不要になる。この結果、調整装置１０に必要な構成部材の数は減少する。これによって製造と組み立てが両方とも簡単化されて調整装置１０のコストが低減する。
【００２６】
図４および図５は調整装置１０の手動による作動の２つの変形形態を示す。各場合で、固定部材上のフランジを操作するボタンが配置されている。図４および図５に示す実施形態では、負荷がこれらの図に示す調整装置１０の右側にウェビング２８に掛かる。左側のウェビング２９は自由端である。
【００２７】
図４に示す実施形態では、ボタン３０はフランジ２３の端部に当接する傾斜付き表面３１を有する。ボタン３０を押すと上方向の持ち上げ力がフランジ２３に掛かる。
【００２８】
図５では、フランジ３５は垂直方向を向き、ボタン３６の端部はフランジ３５に当接する。
【００２９】
図４と図５の両方の実施形態において、ばね３２は、ボタン３０、３６を調整装置１０から引き離し、ボタン３０、３６が押された後にこの位置まで戻すように作用する。
【００３０】
第４の実施形態を図６〜図９に示す。この実施形態では、調整装置１１０はブラケット１１１を有する。ブラケット１１１はＵ字形で１対の側壁１１５とベース壁１１６を有する。開口部１１８はベース壁１１６にある。固定部材１１２は第１の実施形態と同様の方法で軸１１３を介してブラケット１１１に軸回転可能に取り付けられている。
【００３１】
固定部材１１２は、押されて固定部材１１２を回転させるフランジ１２３を有する。固定部材１１２はのこぎり歯状の隆起部１２５を含む弓形表面を備えた固定カム１２４を有する。第１の実施形態と同様、固定カム用の弓形表面を形成する部分円の中心は軸１１３の縦方向の軸からずれている。固定部材１１２を時計回りに回転させると、のこぎり歯状の隆起部１２５がベース壁１１６の方に移動する。
【００３２】
図６〜図８はウェビング１２８がアクチュエータ１１０内を通過する経路を示す。ウェビング１２８はまず開口部１１８と固定カム表面１２４ののこぎり歯状の隆起部１２５とベース板１１６との間を通過する。ウェビング１２８は固定部材１１２の周辺に位置し、開口部１１８を通って逆方向に通過することができる。
【００３３】
固定部材１１２は突起部１２７を有し、ウェビング１２８は突起部１２７上を通過する。
【００３４】
図６にアクチュエータ１１０が部分的に固定された位置で示されている。図６〜図８に示すように調整装置１１０の左側に位置するウェビング１２８に張力が掛かると、固定部材１１２は反時計回りに回転する。固定位置への移動は図６、図７に示され、固定部材１１２は図６での部分的に固定した位置から、図７での完全に固定した位置に移動している。ウェビング１２８に掛かる張力は突起部１２７に対する引張力となり、固定部材１１２を反時計回りに回転させる。
【００３５】
調整装置１１０の左側のウェビング１２８内で張力を引き続き掛けると固定部材１１２は固定位置に保持される。
【００３６】
図６〜図８に示すウェビングの右側は自由端１２９としても知られている。固定部材１１２はウェビング２８の自由端１２９を引っ張ることで固定位置から解放できる。自由端１２９を引っ張ることにより、固定部材１１２は時計回りに回転する。ウェビング１２８の左側からすべての張力が解放されると仮定すると、この回転によって固定部材１１２は解放され、それによってウェビング１２８を調整装置１１０を通して引っ張ることができる。
【００３７】
あるいは、図８に示すように、フランジ１２８を押して固定部材１１２を非固定位置に完全に回転させることができる。この位置では、ウェビング１２８は調整装置１１０を通していずれの方向にも自由に引っ張ることができる。図８に示すウェビング１２８の左側に掛かる任意の張力によって下方向の力が突起部１２７に掛かる。次いでこれによって固定部材１１２は固定位置まで回転する。図８に示す自由端１２９を引っ張ると固定部材１１２は非固定位置に保持された状態になる。
【００３８】
図１０および図１１に図６〜９に示す実施形態の変形例を示す。同じ調整装置１１０をインライン・ベルト長調整装置として用いることができる。この場合、ウェビング１２８はこの実施形態では図１０および図１１に示すように右側である調整装置１１０の同じ側に近づいたり離れたりする。調整装置の左側には、ベース壁１１６に開口部１３３が開けられ、これによってウェビング１３４を取り付けることができる。図９および図１０に示す調整装置１０は図６〜図８に示す調整装置と全く同様に機能する。
【００３９】
本発明の上記の実施形態はすべて、ブラケット１１、１１１と固定部材１２、１１２との間で作用する張力ばねなしに機能するが、これらの実施形態にばねを組み込んでフランジ２３、１２３を用いて回転する時に固定部材１２、１１２の触質感覚を改善することができる。
【００４０】
図１２に本発明のその他の実施形態による一体形成のウェビング・ガイドを備えた子供用カー・シートを示す。
【００４１】
この実施形態では、子供用カー・シート４０はプラスチック材料成型として形成された背面４１を有する。このシートは、シートを繋留点に固定するための取り付け装置４４を含むテザー・ストラップ４３によって車両内で拘束されている。テザー・ストラップは４６でシート背面４１の一方の側で固定され、シート背面４１の他方の側には本発明による一体形ウェビング長さ調整装置５０がある。この構成では、ウェビング・ガイドはウェビング・ガイドを形成するように成型されたシートのシェルの一部を含み、ウェビング長さ調整装置を操作してテザー・ストラップを解放して長さを調整することを可能にする加動ボタン５１が設けられている。テザー・ストラップ４３に張力が掛かるとウェビング長さ調整装置５０はテザー・ストラップを把持して動きを拘束する。
【００４２】
本明細書を通じて、本発明の範囲に関して種々示してきたが、本発明はこれらの実施形態のいずれにも限定されず、これらの２つまたはそれ以上の組み合わせにより実現することができる。本明細書の実施例は例示のためであって限定的なものではない。
【００４３】
本明細書および請求項を通じて、特に断りのない限り、「有する」および「含む」という単語並びに「有している」および「含んでいる」などの変形例は、明記した整数または整数のグループの包含を意味するが、その他のいかなる整数または整数のグループの除外を意味するものではないことを理解されたい。
【図面の簡単な説明】
【図１】固定部材が非固定位置にある調整装置の断面図である。
【図２】固定部材が固定位置にある調整装置の断面図である。
【図３】調整装置の平面図である。
【図４】押しボタン式アクチュエータを組み込んだ調整装置の第２の実施形態の断面図である。
【図５】代替の押しボタン式アクチュエータを示す第３の実施形態を示す図である。
【図６】調整装置の第２の実施形態の断面図である。
【図７】調整装置の第２の実施形態の断面図である。
【図８】調整装置の第２の実施形態の断面図である。
【図９】図６〜８に示す実施形態の平面図である。
【図１０】調整装置の第３の実施形態の断面図である。
【図１１】調整装置の第３の実施形態の断面図である。
【図１２】本発明による一体形ウェビング・ガイドを備えた子供用カー・シートの図である。
【符号の説明】
１０  調整装置
１１  金属ブラケット
１２  固定部材
１３  軸
１４  ガイド表面
１６  側壁
１７  ２本バー・リンク
１８  開口部
１９  ガイド
２０  端部のヘッド
２２  調整装置
２３  フランジ
２４  固定カム
２５  のこぎり歯突起部
２６  差し込み部
２７  突起部
２８  中央開口部
２８ａ  張力端
２９  自由端
３０  ボタン
３１  傾斜付き表面
３２  ばね
３２  開口部
３５  継手部材
３６  差し込み部
【図１】
0004658369.tif 000002
【図２】
0004658369.tif 000003
【図３】
0004658369.tif 000004
【図４】
0004658369.tif 000005
【図５】
0004658369.tif 000006
【図６】
0004658369.tif 000007
【図７】
0004658369.tif 000008
【図８】
0004658369.tif 000009
【図９】
0004658369.tif 000010
【図１０】
0004658369.tif 000011
【図１１】
0004658369.tif 000012
【図１２】
0004658369.tif 000013